(57)【要約】      （修正有）【課題】容易に施工することができる熱交換ユニットを提供する。【解決手段】熱交換エレメント１１と筺体１２とを備えた建物用熱交換ユニット１０において、筺体１２の外面を形成する外面パネル１２ｂ〜１２ｆを、木材によって形成するとともに、筺体１２の内部空間を熱交換エレメント収容部γ１と室内空気取入部γ２と室内空気送出部γ３と室外空気取入部γ４と室外空気送出部γ５とに仕切る仕切パネル１２ｇ〜１２ｊも、木材によって形成した。【選択図】図５
2019035550.tif 000002
【特許請求の範囲】
【請求項１】
四角版状を為す熱交換エレメントと、
熱交換エレメントを収容するための筺体と
を備え、
熱交換エレメントの外周面に、
室内空気を取り入れるための空気取入面αＩＮと、
空気取入面αＩＮの反対側に設けられた、室外空気を取り入れるための空気取入面βＩＮと、
室外側へ空気を送出するための空気送出面αＯＵＴと、
空気取入面βＩＮの反対側に設けられた、室内側へ空気を送出するための空気送出面βＯＵＴと
が設けられて、
熱交換エレメントの内部に、
空気取入面αＩＮと空気送出面αＯＵＴとを結ぶ空気流路αＣＨと、
空気取入面βＩＮと空気送出面βＯＵＴとを結ぶ空気流路βＣＨと
が設けられるとともに、
空気取入口αＩＮから取り入れられて空気流路αＣＨを流れる室内空気と、空気取入口βＩＮから取り入れられて空気流路βＣＨを流れる室外空気とを熱的に接触させることにより、室内空気と室外空気とで熱交換させることができるようにした
建物用熱交換ユニットであって、
筺体の外面を形成する各外面パネルが、木材によって形成されるとともに、
筺体の内部空間を、
熱交換エレメントを収容するための熱交換エレメント収容部と、
熱交換エレメントの空気取入面αＩＮに接続する室内空気取入部と、
熱交換エレメントの空気送出面αＯＵＴに接続する室内空気送出部と、
熱交換エレメントの空気取入面βＩＮに接続する室外空気取入部と、
熱交換エレメントの空気取入面βＯＵＴに接続する室外空気送出部と
に仕切る各仕切パネルも、木材によって形成された
ことを特徴とする建物用熱交換ユニット。
【請求項２】
外面パネル又は仕切パネルにおける熱交換エレメントの角部が突き当たる箇所に、当該角部を嵌合して熱交換エレメントを位置決めするための欠込部が形成された請求項１記載の建物用熱交換ユニット。
【請求項３】
外面パネル又は仕切パネルに遮熱塗料が塗布された請求項１又は２記載の建物用熱交換ユニット。
【請求項４】
請求項１〜３いずれか記載の建物用熱交換ユニットを建物に施工する建物用熱交換ユニットの施工方法。
【請求項５】
建物用熱交換ユニットに対してダクトを別途取り付けることなく建物用熱交換ユニットを施工する請求項４記載の建物用熱交換ユニットの施工方法。
【請求項６】
建物用熱交換ユニットを建物の外壁下地の外面に沿って取り付ける請求項５記載の建物用熱交換ユニットの施工方法。
【請求項７】
建物用熱交換ユニットを建物の外壁下地の内面に沿って取り付ける請求項５記載の建物用熱交換ユニットの施工方法。
【請求項８】
建物用熱交換ユニットを建物の天井板の上面に沿って取り付ける請求項５記載の建物用熱交換ユニットの施工方法。
【請求項９】
建物用熱交換ユニットを建物の床板の下面に沿って取り付ける請求項５記載の建物用熱交換ユニットの施工方法。
【発明の詳細な説明】
【技術分野】
【０００１】
本発明は、
建物の室内空気と室外空気とで熱交換をさせるための建物用熱交換ユニットと、この建物用熱交換ユニットの施工方法とに関する。
【背景技術】
【０００２】
近年の住宅においては、空気調和機（エアコンディショナー）の負荷を低減し、省エネルギー化を実現するために、高気密化及び高断熱化が図られている。しかし、高気密化された住宅では、生活臭や湿気だけでなく、場合によっては、シックハウス症候群の原因となる化学物質が室内に滞留する虞があるために、換気設備による強制的な換気が義務付けられている。強制的な換気を行う換気システムとしては、例えば、換気用のファンによって、室内空気を室外側に送出するとともに、室外空気を室内側に取り入れることが行われている。
【０００３】
ところが、上記のような換気システムにおいては、例えば、夏期において室内で冷房を使用している場合、室内から室外へは、冷房で冷やされて乾燥した冷たい空気が送出される一方、屋外から室内へは水分を多く含む暖かい空気が取り入れられるようにため、強制的な換気を行わない場合と比較して、室内の温度や湿度が上昇するようになる。このため、強制的な換気を行わない場合よりも、冷房の設定温度が低く設定されてしまう傾向にあり、省エネルギー化が十分に図ることができないという問題があった。室内で暖房が使用される冬季においても、これと同様の問題がある。
【０００４】
このような実状に鑑みてか、これまでには、熱交換器（熱交換エレメント）を使用することにより、室内の換気を行う際に、室内から屋外側へ送出される室内空気と、室外から室内側に取り入れられる室外空気との間で熱交換させるようにした換気システムが採用されている（例えば特許文献１を参照。）。これにより、夏期においては、室外から室内に取り入れられる暖かい室外空気を、室内から室外に送出される室内空気（捨てられる室内空気）で冷やすとともに、冬期においては、室外から室内に取り入れられる冷たい室外空気を、室内から室外に送出される室内空気（捨てられる室内空気）で暖めることが可能になり、さらなる省エネルギー化を図ることができるようになる。
【先行技術文献】
【特許文献】
【０００５】
【特許文献１】特開２０１１−１４４９９５号公報
【発明の概要】
【発明が解決しようとする課題】
【０００６】
ところが、建物の換気システムに上記の熱交換エレメントを組み込む場合には、その熱交換エレメントの施工に手間を要するという問題があった。というのも、熱交換効率を高めて省エネルギー化を促進するためには、熱交換エレメントとしては寸法の大きな大型のものを使用する必要があるところ、このような大型の熱交換エレメントは、天井裏や床下等に隠して設置する必要がある。しかし、この場合には、室内と熱交換エレメントとを接続するダクトや、室外と熱交換エレメントとを接続するダクト等を、天井裏や床下等に施工する必要があり、これらのダクトの施工等に手間を要していたからである。
【０００７】
本発明は、上記課題を解決するためになされたものであり、大型の熱交換エレメントを採用する場合であっても、建物に対して容易に施工することができる熱交換ユニットを提供することを目的とする。特に、室内と熱交換エレメントや、室外と熱交換エレメントを、ダクトで接続する必要がなく、容易に施工することができる熱交換ユニットを提供することを目的としている。また、この熱交換ユニットを建物に施工する熱交換ユニットの施工方法を提供することも本発明の目的である。
【課題を解決するための手段】
【０００８】
上記課題は、
四角版状を為す熱交換エレメントと、
熱交換エレメントを収容するための筺体と
を備え、
熱交換エレメントの外周面に、
室内空気を取り入れるための空気取入面αＩＮと、
空気取入面αＩＮの反対側に設けられた、室外空気を取り入れるための空気取入面βＩＮと、
室外側へ空気を送出するための空気送出面αＯＵＴと、
空気取入面βＩＮの反対側に設けられた、室内側へ空気を送出するための空気送出面βＯＵＴと
が設けられて、
熱交換エレメントの内部に、
空気取入面αＩＮと空気送出面αＯＵＴとを結ぶ空気流路αＣＨと、
空気取入面βＩＮと空気送出面βＯＵＴとを結ぶ空気流路βＣＨと
が設けられるとともに、
空気取入口αＩＮから取り入れられて空気流路αＣＨを流れる室内空気と、空気取入口βＩＮから取り入れられて空気流路βＣＨを流れる室外空気とを熱的に接触させることにより、室内空気と室外空気とで熱交換させることができるようにした
建物用熱交換ユニットであって、
筺体の外面を形成する各外面パネルが、木材によって形成されるとともに、
筺体の内部空間を、
熱交換エレメントを収容するための熱交換エレメント収容部と、
熱交換エレメントの空気取入面αＩＮに接続する室内空気取入部と、
熱交換エレメントの空気送出面αＯＵＴに接続する室内空気送出部と、
熱交換エレメントの空気取入面βＩＮに接続する室外空気取入部と、
熱交換エレメントの空気取入面βＯＵＴに接続する室外空気送出部と
に仕切る各仕切パネルも、木材によって形成された
ことを特徴とする建物用熱交換ユニット
を提供することによって解決される。
ここで、「木材」とは、無垢の木材に限定されない。本明細書における「木材」という語句は、原料に木を含む材料を意味する。すなわち、本明細書における「木材」の概念には、木製シートを積層して再構成した合板や、木製片材を接着等して再構成した集成材や、木製チップを接着剤等で再構成した木質材等も含まれる。
【０００９】
本発明の建物用熱交換ユニットは、上記のように、筺体の外面を形成する各外面パネルに加えて、その内部に配される各仕切パネルも木材によって形成されており、実質的にその全体が木材によって形成されている。このため、本発明の建物用熱交換ユニットは、その筺体を、建物の柱や梁や壁板等の構造躯体にビス止め等することによって、取付用の金具等を別途用いることなく、建物に対して取り付けることが可能なものとなっている。
【００１０】
また、筺体の外面パネル等には、室内空気を室内空気取入部に取り入れるための開口（室内空気取入口）や、室外空気を室外空気取入部に取り入れるための開口（室外空気取入口）や、室内空気を室外側へ送出するための開口（室内空気送出口）や、室外空気を室内側へ送出するための開口（室外空気送出口）を設ける必要があるところ、本発明の建物用熱交換ユニットでは、外面パネル等が木材によって形成されている。
このため、本発明の建物用熱交換ユニットでは、それを施工する作業者が上記の開口をその場で容易に加工することができる。さらにこのときには、建物用熱交換ユニットを取り付ける向きや現場の状況等に応じて上記の開口の位置や向き等を変更することができ、ダクトを要さない態様で建物用熱交換ユニットを施工することもできる。
具体的には、筺体の外面を形成する各外面パネルのうち、室内側を向いて配される外面パネル（室内側パネル）に、室内空気取入口及び室外空気送出口を形成するとともに、室外側を向いて配される外面パネル（室外側パネル）に、室内空気送出口及び室外空気取入口を形成すれば、ダクトを別途使用しなくても、建物用熱交換ユニットを介して室内空間と室外空間とで空気の遣り取りができるようにすることが可能になる。
【００１１】
加えて、本発明の建物用熱交換ユニットは、それが大型になる場合（大型の熱交換エレメントを使用する場合）であっても、好適に施工することができるものとなっている。
すなわち、建物用熱交換ユニットが大型のものとなる場合、建物用熱交換ユニットの取付態様としては、建物用熱交換ユニットを建物の外壁下地の外面に沿って取り付ける態様や、建物用熱交換ユニットを建物の外壁下地の内面に沿って取り付ける態様や、建物用熱交換ユニットを建物の天井板の上面に沿って取り付ける態様や、建物用熱交換ユニットを建物の床板の下面に沿って取り付ける態様等が挙げられる。
この点、建物の外壁下地の外面に沿って取り付ける態様を採用する場合と、建物の外壁下地の内面に沿って取り付ける態様を採用する場合においては、外壁下地等における室内空気取入口及び室外空気送出口に重なる箇所に貫通穴を設けるだけで、建物用熱交換ユニットを介して室内空間と室外空間とで空気の遣り取りができるようにすることが可能である。
また、建物の天井板の上面に沿って取り付ける態様を採用する場合には、天井板等における室内空気取入口及び室外空気送出口に重なる箇所に貫通穴を設けるとともに、外壁下地等における室内空気送出口及び室外空気取入口に重なる箇所にも貫通穴を設けるだけで、建物用熱交換ユニットを介して室内空間と室外空間とで空気の遣り取りができるようにすることが可能である。
さらに、建物の床板の下面に沿って取り付ける態様を採用する場合には、床板等における室内空気取入口及び室外空気送出口に重なる箇所に貫通穴を設けるとともに、外壁下地等における室内空気送出口及び室外空気取入口に重なる箇所にも貫通穴を設けるだけで、建物用熱交換ユニットを介して室内空間と室外空間とで空気の遣り取りができるようにすることが可能である。
上記の貫通穴には、スリーブを挿入することはあっても、ダクトを別途用いる必要はない。
【００１２】
本発明の建物用熱交換ユニットにおいては、外面パネル又は仕切パネルにおける熱交換エレメントの角部が突き当たる箇所に、当該角部を嵌合して熱交換エレメントを位置決めするための欠込部を形成することも好ましい。これにより、金具等を別途用いることなく、筺体内における所定箇所（熱交換エレメント収容部）に熱交換エレメントを容易且つ正確に固定することが可能になる。
【００１３】
本発明の建物用熱交換ユニットにおいては、外面パネル又は仕切パネルに遮熱塗料を塗布することも好ましい。これにより、筺体の外面パネル等を介して熱が漏れないようにすることが可能になり、熱交換エレメントにおける熱交換効率をより高めることが可能になる。
【発明の効果】
【００１４】
以上のように、本発明によって、大型の熱交換エレメントを採用する場合であっても、建物に対して容易に施工することができる熱交換ユニットを提供することが可能になる。特に、室内と熱交換エレメントや、室外と熱交換エレメントを、ダクトで接続する必要がなく、容易に施工することができる熱交換ユニットを提供することが可能になる。また、この熱交換ユニットを建物に施工する熱交換ユニットの施工方法を提供することも可能になる。
【図面の簡単な説明】
【００１５】
【図１】外壁下地の外面に沿って本発明の建物用熱交換ユニットが取り付けられた状態を外壁下地に垂直な鉛直面で切断した状態を示した断面図である。
【図２】外壁下地の内面に沿って本発明の建物用熱交換ユニットが取り付けられた状態を外壁下地に垂直な鉛直面で切断した状態を示した断面図である。
【図３】本発明の建物用熱交換ユニットを分解した状態を示した斜視図である。
【図４】本発明の建物用熱交換ユニットであって、前面側の外面パネル（前面パネル）を取り付ける前の状態を示した斜視図である。
【図５】本発明の建物用熱交換ユニットを図１におけるＸ−Ｘ面で切断した状態を示した断面図である。
【発明を実施するための形態】
【００１６】
本発明の建物用熱交換ユニットの好適な実施態様について、図面を用いてより具体的に説明する。図１は、建物５０の外壁下地５１の外面に沿って本発明の建物用熱交換ユニット１０を取り付けた状態を外壁下地５１に垂直な鉛直面で切断した状態を示した断面図である。図２は、建物５０の外壁下地５１の内面に沿って本発明の建物用熱交換ユニット１０を取り付けた状態を外壁下地５１に垂直な鉛直面で切断した状態を示した断面図である。
【００１７】
本発明の建物用熱交換ユニット１０は、図１又は図２に示すように、建物５０に取り付けて使用される。この建物用熱交換ユニット１０は、後述するように、熱交換エレメント１１と筺体１２とで構成されており、その筺体１２には、室内５０ａにある室内空気Ａを筺体１２内に取り込むための室内空気取入口δ２と、筺体１２内に取り入れられた室内空気Ａを筺体１２外へ送出するための室内空気送出口δ３と、室外５０ｂにある室外空気Ｂを筺体１２内に取り入れるための室外空気取入口δ４と、筺体１２内に取り入れられた室外空気Ｂを筺体１２外へ送出するための室外空気送出口δ５とが設けられる。室内空気取入口δ２や、室内空気送出口δ３や、室外空気取入口δ４や、室外空気送出口δ５には、必要に応じて、スリーブ３１や、グリル３２や、フード３３や、フィルター３４等が取り付けられる。
【００１８】
この建物用熱交換ユニット１０は、後掲する図５の矢印ＦＯＵＴで示される経路で室内５０ａ側から室外５０ｂ側へと排気される室内空気Ａと、同図の矢印ＦＩＮで示される経路で室外５０ｂ側から室内５０ａ側へと給気される室外空気Ｂとを熱交換エレメント１１で熱的に接触させることにより、室内空気Ａと室外空気Ｂとの間で熱交換させる。建物用熱交換ユニット１０には、通常、室内空気Ａの排気を行うための排気用空気移送手段２１（図５）と、室外空気Ｂの給気を行うための給気用空気移送手段２２（図５）とが設けられる。排気用空気移送手段２１や給気用空気移送手段２２としては、通常、ファン等が用いられる。本実施態様においては、排気用空気移送手段２１と給気用空気移送手段２２とをいずれも、建物用熱交換ユニット１０の筺体１２内に設けているが、筺体１２の外部に設けることもできる。
【００１９】
上記の建物用熱交換ユニット１０を建物５０に施工すると、図１又は図２に示すように、建物５０の換気（室内空気Ａと室外空気Ｂとの入替）を強制的に行いながらも、室内５０ａの冷暖房を行うエアコンディショナー（図示省略）の負荷を低減して、省エネルギー化を実現することができる。具体的には、室外５０ｂの気温が高く、室内５０ａで冷房が使用される夏期においては、室外５０ｂから室内５０ａに取り入れられる暖かい室外空気Ｂを、室内５０ａから室外５０ｂに送出される室内空気Ａで冷やすことで、室内５０ａの冷房効率を高めることが可能である。一方、室外５０ｂの気温が低く、室内５０ａで暖房が使用される冬期においては、室外５０ｂから室内５０ａに取り入れられる冷たい室外空気Ｂを、室内５０ａから室外５０ｂに送出される室内空気Ａで暖めることで、室内５０ａの暖房効率を高めることが可能である。
【００２０】
図３は、本発明の建物用熱交換ユニット１０を分解した状態を示した斜視図である。図４は、本発明の建物用熱交換ユニット１０であって、前面側の外面パネル（前面パネル１２）を取り付ける前の状態を示した斜視図である。図５は、本発明の建物用熱交換ユニット１０を図１におけるＸ−Ｘ面で切断した状態を示した断面図である。本発明の建物用熱交換ユニット１０は、図３〜５に示すように、熱交換エレメント１１と筺体１２とを備えている。
【００２１】
［熱交換エレメント］
既に述べたように、本発明の建物用熱交換ユニット１０では、室内５０ａ側から室外５０ｂ側へと排気される室内空気Ａ（図１）と、室外５０ｂ側から室内５０ａ側へと給気される室外空気Ｂ（図１）とを熱的に接触させることにより、室内空気Ａと室外空気Ｂとの熱交換が行われるところ、熱交換エレメント１１は、この熱交換を行うための部分となっている。熱交換エレメント１１は、斯様な熱交換が可能なものであれば、その種類を特に限定されないが、コルゲートハニカムシート（熱交換効率の高い薄膜を波状に形成した間隔シートの片面に、ある程度剛性を有する平板状の中芯シートを貼り合わせたシート）の積層体からなる全熱交換エレメントを用いると好ましい。
【００２２】
この種の全熱交換エレメントにおいて、各層のコルゲートハニカムシートの内部（間隔シートと中芯シートとの間）には、空気を流すことができる多数本の流路（空気流路）が略平行に形成された状態となっている。各層のコルゲートハニカムシートは、それに形成された空気流路の方向が、その隣に配される他層のコルゲートハニカムシートに形成された空気流路の方向と交差（通常、直交）するように、その向きを交互に切り替えながら積層される。このうち、一の方向の空気流路は、後述する空気流路αＣＨ（図５）として機能し、他の方向の空気流路（前記一の方向の空気流路に交差する空気流路）は、後述する空気流路βＣＨ（図５）として機能するようになる。本実施態様においても、このような構造を有する全熱交換エレメントを、熱交換エレメント１１として採用している。
【００２３】
この熱交換エレメント１１は、図３に示すように、四角版状を為している。熱交換エレメント１１の外周面を形成する各面（端面）は、図５に示すように、室内空気Ａを取り入れるための空気取入面αＩＮと、室外空気Ｂを取り入れるための空気取入面βＩＮと、室内空気Ａを送出するための空気送出面αＯＵＴと、室外空気Ｂを送出するための空気送出面βＯＵＴとして機能するようになっている。熱交換エレメント１１の内部には、空気取入面αＩＮと空気送出面αＯＵＴとを結ぶ空気流路αＣＨと、空気取入面βＩＮと空気送出面βＯＵＴとを結ぶ空気流路βＣＨとが、互いに交差（図５の例では直交）した状態に設けられている。既に述べたように、熱交換エレメント１１は、間隔シート及び中芯シートからなるコルゲートハニカムシートをその向きを交互に変えながら積層した構造を有しているところ、空気取入口αＩＮから熱交換エレメント１１の内部に取り入れられて空気流路αＣＨを流れる室内空気Ａと、空気取入口βＩＮから熱交換エレメント１１の内部に取り入れられて空気流路βＣＨを流れる室外空気とが、上記の間隔シートや中芯シートを介して熱的に接触することにより、室内空気Ａと室外空気Ｂとの間で熱交換が行われるようになっている。
【００２４】
熱交換エレメント１１は、その寸法を限定されるものではないが、大型のものを使用した方が、熱交換効率を高めることができるために好ましい。具体的には、熱交換エレメント１１の一辺の長さ（その前面及び背面の一辺の長さ。以下同じ。）は、５０ｃｍ以上とすると好ましく、６０ｃｍ以上とするとより好ましく、７０ｃｍ以上とするとさらに好ましく、８０ｃｍ以上とすると最適である。また、熱交換エレメント１１の厚さ（コルゲートハニカムシートの積層方向での厚さ。以下同じ。）は、３ｃｍ以上とすると好ましく、５ｃｍ以上とするとより好ましく、７ｃｍ以上とするとさらに好ましく、９ｃｍ以上とすると最適である。熱交換エレメント１１の一辺の長さや厚さには、特に上限はないが、熱交換エレメント１１をあまりに大きくしすぎると、建物用熱交換ユニット１０の寸法も必然的に大型化し、建物用熱交換ユニット１０の施工や運搬が難しくなる虞がある。このため、熱交換エレメント１１の一辺の長さは、通常、１５０ｃｍ以下とされ、好ましくは１３０ｃｍ以下とされる。また、熱交換エレメント１１の厚さは、通常、３０ｃｍ以下とされ、好ましくは２０ｃｍ以下とされる。本実施態様において、熱交換エレメント１１の一辺の長さは９１ｃｍとなっており、熱交換エレメント１１の厚さは１０．５ｃｍとなっている。
【００２５】
［筺体］
筺体１２は、上記の熱交換エレメント１１を収容するためのものとなっている。本実施態様において、筺体１２は、図３に示すように、筺体１２の外面を形成する外面パネル１２ａ，１２ｂ，１２ｃ，１２ｄ，１２ｅ，１２ｆと、筺体１２の内部空間を仕切る仕切パネル１２ｇ，１２ｈ，１２ｉ，１２ｊとで構成している。外面パネル１２ａ〜１２ｆのうち、外面パネル１２ａは、筺体１２の前面を形成する前面パネルとなっており、外面パネル１２ｂは、筺体１２の背面を形成する背面パネルとなっており、外面パネル１２ｃは、筺体１２の上面を形成する上面パネルとなっており、外面パネル１２ｄは、筺体１２の下面（底面）を形成する下面パネルとなっており、外面パネル１２ｅは、筺体１２の左側面を形成する左側面パネルとなっており、外面パネル１２ｆは、筺体１２の右側面を形成する右側面パネルとなっている。
【００２６】
また、仕切パネル１２ｇ〜１２ｊのうち、仕切パネル１２ｇは、筺体１２の内部における上面パネル１２ｃから下側に所定間隔を隔てた箇所に略水平に設けられた上側水平仕切パネルとなっており、仕切パネル１２ｈは、筺体１２の内部における下面パネル１２ｄから上側に所定間隔を隔てた箇所に略水平に設けられた下側水平仕切パネルとなっており、仕切パネル１２ｉは、筺体１２の内部における上面パネル１２ｃと上側水平仕切パネル１２ｇとの間の空間に略鉛直に設けられ、当該空間を左右に仕切る上側鉛直仕切パネルとなっており、仕切パネル１２ｊは、筺体１２の内部における下面パネル１２ｄと下側水平仕切パネル１２ｈとの間の空間に略鉛直に設けられ、当該空間を左右に仕切る下側鉛直仕切パネルとなっている。
【００２７】
これらの仕切パネル１２ｇ〜１２ｊによって、筺体１２の内部空間は、熱交換エレメント１１を収容するための熱交換エレメント収容部γ１と、熱交換エレメント１１の空気取入面αＩＮに接続する室内空気取入部γ２と、熱交換エレメント１１の空気送出面αＯＵＴに接続する室内空気送出部γ３と、熱交換エレメント１１の空気取入面βＩＮに接続する室外空気取入部γ４と、熱交換エレメント１１の空気取入面βＯＵＴに接続する室外空気送出部γ５とに仕切られている。本実施態様においては、図５に示すように、下側水平仕切パネル１２ｈに設けられた貫通穴ε２によって、室内空気取入部γ２が熱交換エレメント収容部γ１における室内空気取入面αＩＮが配される領域と連通した状態となり、上側水平仕切パネル１２ｇに設けられた貫通穴ε３によって、室内空気送出部γ３が熱交換エレメント収容部γ１における室内空気送出面αＯＵＴが配される領域と連通した状態となり、下側水平仕切パネル１２ｈに設けられた貫通穴ε４によって、室外空気取入部γ４が熱交換エレメント収容部γ１における室外空気取入面βＩＮが配される領域と連通した状態となり、上側水平仕切パネル１２ｇに設けられた貫通穴ε５によって、室外空気送出部γ５が熱交換エレメント収容部γ１における室外空気送出面βＯＵＴが配される領域と連通した状態となっている。
【００２８】
上記の外面パネル１２ａ〜１２ｆ及び仕切パネル１２ｇ〜１２ｊはいずれも、木材によって形成されており、筺体１２は、実質的にその全体が木材によって形成された状態となっている。このため、建物用熱交換ユニット１０は、その筺体１２を、建物５０の柱や梁や壁板等の構造躯体にビス止め等することによって固定することが可能となっている。また、筺体１２の外面パネル１２ａ〜１２ｆには、図４に示すように、室内空気Ａ（図５）を室内空気取入部γ２に取り入れるための室内空気取入口δ２や、室外空気Ｂ（図５）を室外空気取入部γ４に取り入れるための室外空気取入口δ４や、室内空気Ａを室内空気送出部γ３から室外側へ送出するための室内空気送出口δ３や、室外空気Ｂを室外空気送出部γ５から室内側へ送出するための室外空気送出口δ５が設けられる。この点、外面パネル１２ａ〜１２ｆを木材で形成したことによって、作業者が、建物用熱交換ユニット１０の施工態様に応じて、室内空気取入口δ２や室内空気送出口δ３や室外空気取入口δ４や室外空気送出口δ５をその場で加工することが可能となっている。
【００２９】
すなわち、本実施態様においては、図１や図２に示すように、前面パネル１２ａが室内５０ａ側を向き、背面パネル１２ｂが屋外５０ｂ側を向くように建物用熱交換ユニット１０を施工することを想定したため、図３に示すように、室内空気取入口δ２と室外空気送出口δ５とを前面パネル１２ａに設け、室内空気送出口δ３と室外空気取入口δ４とを背面パネル１２ｂに設けている。ところが、例えば、建物用熱交換ユニット１０を天井板５２の上面に沿って取り付ける場合や、床板５３の下面に沿って取り付ける場合には、前面パネル１２ａを室内５０ａ側（天井板５２の上面又は床板５３の下面）に向けたとしても、背面パネル１２ｂは室外５０ｂ側を向かない。このため、建物用熱交換ユニット１０を天井板５２の上面に沿って取り付ける場合や、床板５３の下面に沿って取り付ける場合において、前面パネル１２ａを室内５０ａ側に向けるときには、前面パネル１２ａや背面パネル１２ｂ以外の外面パネル（上面パネル１２ｃ、下面パネル１２ｄ、左側面パネル１２ｅ又は右側面パネル１２ｆ）を外壁下地５１の内面に当接させ、室内空気送出口δ３や室外空気取入口δ４は、上面パネル１２ｃや下面パネル１２ｄや左側面パネル１２ｅや右側面パネル１２ｆに設ける必要がある。しかし、このような場合であっても、上面パネル１２ｃや下面パネル１２ｄや左側面パネル１２ｅや右側面パネル１２ｆはいずれも木材で形成されているため、室内空気送出口δ３や室外空気取入口δ４をその場で容易に加工することが可能である。また、室内空気取入口δ２や室内空気送出口δ３や室外空気取入口δ４や室外空気送出口δ５の寸法や形状等をその場で変更することも容易である。
【００３０】
このように、本発明の建物用熱交換ユニット１０は、筺体１２の実質的に全体を木材で形成したことによって、その施工態様の選択自由度が高いことに加えて、室内空気取入口δ２や室内空気送出口δ３や室外空気取入口δ４や室外空気送出口δ５を設ける場所や向き等の選択自由度も高いものとなっている。したがって、本発明の建物用熱交換ユニット１０は、図１又は図２に示すように、建物５０における室内５０ａ側と室外５０ｂ側とを仕切る部分（外壁下地５１等）の近傍に配置すれば、ダクトを要さない態様で施工することも可能なものとなっている。また、この建物用熱交換ユニット１０は、廃棄する際に筺体１２等を焼却処分することができ、廃棄物を削減することも可能なものとなっている。
【００３１】
筺体１２（外面パネル１２ａ〜１２ｆ及び仕切パネル１２ｇ〜１２ｊ）は、木材であれば、特に限定されない。外面パネル１２ａ〜１２ｆ及び仕切パネル１２ｇ〜１２ｊの形成材料としては、無垢の木材のほか、木製シートを積層して再構成した合板や、木製片材を接着等して再構成した集成材や、木製チップを接着剤等で再構成した木質材等が例示される。本実施態様においては、薄い平板状を為す前面パネル１２ａと背面パネル１２ｂとを木質ボード（木のチップを再構成したパーティクルボードや、木の繊維を再構成したＭＤＦ等）で形成し、比較的厚さのある、上面パネル１２ｃ、下面パネル１２ｄ、左側面パネル１２ｅ、右側面パネル１２ｆ、上側水平仕切パネル１２ｇ、下側水平仕切パネル１２ｈ、上側鉛直仕切パネル１２ｉ及び下側鉛直仕切パネル１２ｊを無垢の木材で形成している。
【００３２】
本実施態様においては、外面パネル１２ａ〜１２ｆ及び仕切パネル１２ｇ〜１２ｊに遮熱塗料（赤外線を反射する材料を含有する塗料）を塗布している。遮熱塗料は、顔料系のものとセラミック系のものとに大別されるが、セラミック系のものが一般的である。セラミック系の遮熱塗料としては、多孔質セラミック系塗料（中空ビーズ系塗料）や、無孔質セラミック系塗料（真球ファインセラミック塗料）等が例示される。外面パネル１２ａ〜１２ｆ及び仕切パネル１２ｇ〜１２ｊは、木材によって形成されているため、そのままでもある程度の遮熱性を発揮するのであるが、遮熱塗料を塗布することによって、筺体１２の遮熱性をさらに高め、建物用熱交換ユニット１０の熱交換効率をさらに向上することが可能になる。遮熱塗料は、外面パネル１２ａ〜１２ｆ及び仕切パネル１２ｇ〜１２ｊの片面のみに塗布してもよいし、両面に塗布してもよい。ただし、外面パネル１２ａ〜１２ｆについては、その内面側に遮熱塗料を塗布するようにすると好ましい。
【００３３】
筺体１２の形態は、熱交換エレメント収容部γ１と、室内空気取入部γ２と、室内空気送出部γ３と、室外空気取入部γ４と、室外空気送出部γ５とを設けることが可能であれば、特に限定されないが、通常、偏平な直方体状とされる。これにより、筺体１２の組み立てを容易にすることや、筺体１２の内部に熱交換エレメント１１を効率的に収容することが可能になるだけでなく、建物用熱交換ユニット１０を、図１や図２に示すように、建物５０の外壁下地５１に沿わせてコンパクトに（建物用熱交換ユニット１０が室内５０ａ側や室外５０ｂ側に大きく突出しない状態で）施工し、施工後の建物用熱交換ユニット１０を目立ちにくくすることも可能になる。
【００３４】
本実施態様においても、筺体１２は、扁平な直方体状を為している。熱交換エレメント収容部γ１に収容された熱交換エレメント１１の前面は、筺体１２における前面パネル１２ａの内面に沿った状態で接触し、その熱交換エレメント１１の背面は、筺体１２における背面パネル１２ｂの内面に沿った状態で接触するようになっている。また、図５に示すように、熱交換エレメント収容部γ１に収容された熱交換エレメント１１における、室内空気取入面αＩＮと室外空気取入面βＩＮとが為す角部Ｃ１は、下側水平仕切パネル１２ｈの上面に突き当たり、室内空気送出面αＯＵＴと室外空気送出面βＯＵＴとが為す角部Ｃ２は、上側水平仕切パネル１２ｇの下面に突き当たり、室内空気取入面αＩＮと室外空気送出面βＯＵＴとが為す角部Ｃ３は、左側面パネル１２ｅの内面に突き当たり、室外空気取入面βＩＮと室内空気送出面αＯＵＴとが為す角部Ｃ４は、右側面パネル１２ｆの内面に突き当たるようになっている。換言すると、熱交換エレメント収容部γ１における、室内空気取入面αＩＮが設けられた領域と、室内空気送出面αＯＵＴが設けられた領域と、室外空気取入面βＩＮが設けられた領域と、室外空気送出面βＯＵＴが設けられた領域とが、熱交換エレメント１１自体によって仕切られた状態となっている。
【００３５】
ここで、下側水平仕切パネル１２ｈにおける、熱交換エレメント１１の角部Ｃ１が突き当たる部分と、上側水平仕切パネル１２ｇにおける、熱交換エレメント１１の角部Ｃ２が突き当たる部分と、左側面パネル１２ｅにおける、熱交換エレメント１１の角部Ｃ３が突き当たる部分と、右側面パネル１２ｆにおける、熱交換エレメント１１の角部Ｃ４が突き当たる部分には、図３に示すように、欠込部Ｄ１，Ｄ２，Ｄ３，Ｄ４をそれぞれ形成している。これらの欠込部Ｄ１，Ｄ２，Ｄ３，Ｄ４には、図４に示すように、熱交換エレメント１１の角部Ｃ１，Ｃ２，Ｃ３，Ｃ４をそれぞれ嵌め込むことにより、熱交換エレメント１１を位置決めすることができるようになっている。これにより、金具等を別途用いることなく、筺体１２内における熱交換エレメント収容部γ１に熱交換エレメントを容易且つ正確に固定することが可能となっている。
【００３６】
筺体１２の寸法も、熱交換エレメント収容部γ１と、室内空気取入部γ２と、室内空気送出部γ３と、室外空気取入部γ４と、室外空気送出部γ５とを設けることが可能であれば、特に限定されない。本実施態様において、筺体１２は、その横幅が１３８０ｍｍ、その縦幅が２４００ｍｍとしている。筺体１２の厚さは、熱交換ユニット１１の厚さ（１０５ｍｍ）に、前面パネル１２ａの板厚（９ｍｍ）と背面パネル１２ｂの板厚（９ｍｍ）とを加えた１２３ｍｍとなっている。筺体１２をこのような寸法とすることで、図１や図２に示すように、建物用熱交換ユニット１０を建物５０の外壁下地５１に沿わせた状態で施工する場合に、建物用熱交換ユニット１０を目立たないように外壁下地５１に同化させるだけでなく、建物用交換ユニット１０の位置決めを容易に行うことも可能になる。特に、図２に示すように、建物用熱交換ユニット１０を外壁下地５１の内面側に施工する場合には、建物用熱交換ユニット１０を床板５３と天井板５２との間にきっちりと収めることも可能になる。
【００３７】
［用途］
本発明の建物用熱交換ユニットは、建物の換気を行う際に、室内から室外に排気される室内空気と、室外から室内に給気される室外空気との間で熱交換を行わせるものとして好適に使用することができる。本発明の建物用熱交換ユニットは、戸建家屋や集合住宅等の住宅に施工するものとして好適である。特に、気密性が高められた高気密住宅に好適に施工することができる。ただし、本発明の建物用熱交換ユニットを施工する建物は住宅に限定されない。本発明の建物用熱交換ユニットは、オフィスビルや工場等の事業施設や、ショッピングモールやスーパーマーケット等の商業施設や、駅や空港や病院等の公共施設等にも施工することが可能である。
【符号の説明】
【００３８】
１０    建物用熱交換ユニット
１１    熱交換エレメント
１２    筺体
１２ａ  前面パネル（外面パネル）
１２ｂ  背面パネル（外面パネル）
１２ｃ  上面パネル（外面パネル）
１２ｄ  下面パネル（外面パネル）
１２ｅ  左側面パネル（外面パネル）
１２ｆ  右側面パネル（外面パネル）
１２ｇ  上側水平仕切パネル（仕切パネル）
１２ｈ  下側水平仕切パネル（仕切パネル）
１２ｉ  上側鉛直仕切パネル（仕切パネル）
１２ｊ  下側鉛直仕切パネル（仕切パネル）
２１    排気用空気移送手段
２２    給気用空気移送手段
３１    スリーブ
３２    グリル
３３    フード
３４    フィルター
５０    建物
５０ａ  室内
５０ｂ  室外
５１    外壁下地
５１ａ  内側壁板
５１ｂ  断熱材
５１ｃ  外側壁板
５２    天井板
５３    床板
５４    基礎
Ａ  室内空気
Ｂ  室外空気
Ｃ１  室内空気取入面αＩＮと室外空気取入面βＩＮとが為す角部
Ｃ２  室内空気送出面αＯＵＴと室外空気送出面βＯＵＴとが為す角部
Ｃ３  室内空気取入面αＩＮと室外空気送出面βＯＵＴとが為す角部
Ｃ４  室外空気取入面βＩＮと室内空気送出面αＯＵＴとが為す角部
αＩＮ  室内空気取入面
αＯＵＴ  室内空気送出面
αＣＨ  室内空気取入面と室内空気送出面とを結ぶ空気流路
βＩＮ  室外空気取入面
βＯＵＴ  室外空気送出面
βＣＨ  室外空気取入面と室外空気送出面とを結ぶ空気流路
γ１  熱交換エレメント収容部
γ２  室内空気取入部
γ３  室内空気送出部
γ４  室外空気取入部
γ５  室外空気送出部
δ２  室内空気取入口
δ３  室内空気送出口
δ４  室外空気取入口
δ５  室外空気送出口
ε２  室内空気取入部γ２と熱交換エレメント収容部γ１とを連通する貫通穴
ε３  室内空気送出部γ３と熱交換エレメント収容部γ１とを貫通穴
ε４  室外空気取入部γ４と熱交換エレメント収容部γ１とを貫通穴
ε５  室外空気送出部γ５と熱交換エレメント収容部γ１とを貫通穴
【図１】
2019035550.tif 000003
【図２】
2019035550.tif 000004
【図３】
2019035550.tif 000005
【図４】
2019035550.tif 000006
【図５】
2019035550.tif 000007